(57)【要約】      （修正有）【課題】携帯端末を通じて異なる通信プロトコルのエンドポイント装置を制御でき、操作の単純化を実現できるネットワーク制御集積ボックスを提供する。【解決手段】ネットワーク制御集積ボックス１は、複数の収容空間を形成する複数の開口部２と、収容空間のいずれかに収容される少なくとも一つのメイン制御ボード３と、残りの収容空間にそれぞれ収容され、かつメイン制御ボードと通信接続される複数のサブ制御ボード４と、メイン制御ボードとサブ制御ボードの周りに、開口部２に対応してそれぞれ設けられる複数のＵＳＢスロット５と、ＵＳＢスロットに取付けられ、それぞれが複数のエンドポイント装置と通信接続され、異なる通信プロトコルの受発信回路のいずれかを有する複数のＵＳＢ無線受発信機６と、を備える。携帯端末の制御信号がＵＳＢ無線受発信機６を介して、異なる通信プロトコルまたは同じ通信プロトコルで、規格が異なるエンドポイント装置を制御する。【選択図】図１
0003197162.tif 000002
【実用新案登録請求の範囲】
【請求項１】
携帯端末から直接又は間接的に、異なる無線通信プロトコルまたは同じ通信プロトコルだが、規格が異なる複数のエンドポイント装置を制御するネットワーク制御集積ボックスであって、
前記ネットワーク制御集積ボックスに設けられ、複数の収容空間を形成する複数の開口部と、
前記複数の収容空間のうちのいずれかに収容される少なくとも一つのメイン制御ボードと、
残りの前記複数の収容空間にそれぞれ収容されていて、かつ前記メイン制御ボードと電気通信接続される複数のサブ制御ボードと、
前記メイン制御ボードと、前記複数のサブ制御ボードの周りに、かつ前記開口部に対応するようにそれぞれ設けられている複数のＵＳＢスロットと、
前記複数のＵＳＢスロットにそれぞれが取付けられ、それぞれが前記複数のエンドポイント装置と電気通信接続され、それぞれが異なる通信プロトコルの無線受発信回路のいずれかを有する複数のＵＳＢ無線受発信機と、を備え、
前記無線受発信回路は、Ｚｉｇｂｅｅ（登録商標）無線受発信回路、Ｚｗａｖｅ無線受発信回路、Ｗｉｆｉ無線受発信回路、ブルートゥース無線受発信回路、電力線無線受発信回路、ＥｎＯｃｅａｎ無線受発信回路またはＲＦＩＤ無線受発信回路のいずれかから選択され、
前記携帯端末の制御信号が前記ＵＳＢ無線受発信機を介して、異なる通信プロトコルまたは同じ通信プロトコルだが、規格が異なる前記エンドポイント装置を制御することを特徴とするネットワーク制御集積ボックス。
【請求項２】
前記ネットワーク制御集積ボックスは少なくとも一つの無線コーディネーターと電気通信接続されており、前記携帯端末が前記無線コーディネーターを介して、前記メイン制御ボードと電気通信接続されることを特徴とする、請求項１記載のネットワーク制御集積ボックス。
【請求項３】
前記メイン制御ボードの内部にメイン制御ボードコーディネーターが設けられており、前記携帯端末が前記メイン制御ボードコーディネーターと電気通信接続されることを特徴とする、請求項１記載のネットワーク制御集積ボックス。
【請求項４】
前記ネットワーク制御集積ボックスは少なくとも一つのルーターと電気通信接続されており、前記携帯端末が前記ルーターを介して、前記メイン制御ボードと電気通信接続されることを特徴とする、請求項１記載のネットワーク制御集積ボックス。
【請求項５】
前記ネットワーク制御集積ボックスは、複数のＵＳＢ拡張装置をさらに有し、前記ＵＳＢ拡張装置は前記複数のＵＳＢスロットに装着されることを特徴とする、請求項１〜４のいずれか１項に記載のネットワーク制御集積ボックス。
【考案の詳細な説明】
【技術分野】
【０００１】
本考案はネットワーク制御装置に関し、特に携帯端末によって、直接又は間接に、異なる無線通信プロトコルを持つ、または同じ通信プロトコルだが異なる規格を持つ複数のエンドポイント装置を制御するネットワーク制御集積ボックスに関する。
【背景技術】
【０００２】
ネットワーク帯域の需要と用途を満足させるため、各種規格の無線通信技術が提唱され、しかも様々な生活分野に応用されている。例えば、ＷＣＤＭＡ、ＬＴＥを携帯通信システムで利用し、携帯電話機を用いて基地局に接続すればオンライン接続ができ、携帯電話機利用者の利便性が向上されている。しかし、Ｗｉｆｉ、Ｂｌｕｅｔｏｏｔｈ、Ｚｉｇｂｅｅ（登録商標）、Ｚｗａｖｅ、ＲＦＩＤ、ＥｎＯｃｅａｎなどの通信プロトコルの伝送距離は短いため、ローカルエリアのネットワーク接続に適している。Ｗｉｆｉシステムでは特定のエリアネットワークを構築した上、そのエリアのネットワークを暗号化して、授権を受けた者のみがそのエリアネットワークを介してオンライン接続できる。さらに、現在ブルートゥースの応用範囲は極めて幅広く、無線イヤホーン、無線キーボード及びマウスまたは装置同士間（Ｄｅｖｉｃｅ  ｔｏ  Ｄｅｖｉｃｅ）によるデータ伝送など、すべてがブルートゥースを通じて達成できる。さらに、ブルートゥース４．０はより良い省電力機制を有し、将来的に高度な発展性が期待される。このほかに、Ｚｉｇｂｅｅ（登録商標）、Ｚｗａｖｅ、ＥｎＯｃｅａｎは低パワー低伝送速度の特性により、ワイヤレス検出と制御、例えば家電の電源制御、医療目的の監視制御などに使用できる。ＲＦＩＤの伝送距離は短いため、電子料金収受システム、身分識別、物流管理などに応用されている。
【考案の概要】
【考案が解決しようとする課題】
【０００３】
しかし、前述のような異なる規格間の無線通信プロトコルは、そのパケットフォーマットと操作周波数の違いから、異なる通信装置同士に信号を直接伝送または受信することはできないため、使用者の装置同士にそれぞれ異なる変換装置を使用しなければ、互いにコミュニケーションができない。市販の変換装置は一つの通信プロトコルに対して信号を変更することはできるが、複数の異なる通信プロトコルの受信または発信をすることはできない。もし、同時に複数種の異なる通信プロトコルに対応する設備または装置同士の信号伝送を行う場合には、それぞれ対応の変換装置を介して信号の変更を行わなければならず、よって、信号変換の時間が掛かるのみならず、通信速度も低下しかねない。
【０００４】
この課題を解決するため、本考案はネットワーク制御集積ボックスを提供する。使用者は携帯端末のアプリケーションプログラムを利用し、ネットワーク制御集積ボックスに接続した上で、異なる通信プロトコルのエンドポイント装置を制御することによって、使用者が携帯端末を通じて、異なる通信プロトコルのエンドポイント装置を制御でき、操作の単純化を実現できる。
【課題を解決するための手段】
【０００５】
本考案の一目的は、使用者が携帯装置を用いて、異なる通信プロトコルの複数装置の遠隔制御によって、それぞれの通信プロトコルのエンドポイント装置制御を実現し、その間に介在する変換装置の設置コストを省くことができると共に、通信速度も向上されるネットワーク制御集積ボックスを提供する。
【０００６】
本考案は前述目的を達成するため、携帯端末から、異なる通信プロトコルまたは同じ通信プロトコルだが、異なる規格の複数のエンドポイント装置を制御するネットワーク制御集積ボックスを提供する。ネットワーク制御集積ボックスは、主に複数の開口部と、少なくとも一つのメイン制御ボードと、複数のサブ制御ボードと、複数のＵＳＢスロットと、複数のＵＳＢ無線受発信機と、を含む。前記複数の開口部をネットワーク制御集積ボックスに設け、かつ複数の収容空間を形成する。前記メイン制御ボードはいずれかの収容空間に設置される。前記複数のサブ制御ボードはそれぞれ残りの収容空間に設置されていて、かつメイン制御ボードと電気通信接続される。複数のＵＳＢスロットはそれぞれメイン制御ボードと複数のサブ制御ボードとの周りに、かつ複数の開口部に対応するように設けられる。複数のＵＳＢ無線受発信機を分けてそれぞれ複数のＵＳＢスロットと複数のエンドポイント装置とに取付け、異なるいずれか一つの通信プロトコルの無線受発信回路を設ける。前記無線受発信回路はＺｉｇｂｅｅ（登録商標）無線受発信回路、Ｚｗａｖｅ無線受発信回路、Ｗｉｆｉ無線受発信回路、ブルートゥース無線受発信回路、電力線無線受発信回路、ＥｎＯｃｅａｎ無線受発信回路またはＲＦＩＤ無線受発信回路である。前記携帯端末の制御信号が、前記複数のＵＳＢ無線受発信機を介して、異なる通信プロトコルまたは同じ通信プロトコルだが、規格が異なるエンドポイント装置の制御を行う。
【０００７】
そのうち、ネットワーク制御集積ボックスは、少なくとも一つのワイヤレスコーディネーターと電気通信接続し、前記携帯装置はワイヤレスコーディネーターを介して、メイン制御ボードと電気通信接続されるか、またはネットワーク制御集積ボックスが少なくとも一つのルーターと電気通信接続し、携帯装置はルーターを介してメイン制御ボードと電気通信接続されてもよい。これによって、携帯装置により幅広い操作制御の距離を与えることができる。
【０００８】
この他、メイン制御ボードの内部にメイン制御ボードコーディネーターを設けていて、携帯装置とメイン制御ボードコーディネーターとを電気通信接続することによって、メイン制御ボードが受信した制御信号がメイン制御ボードコーディネーターを介して、それぞれ異なる通信プロトコルのＵＳＢ無線受発信機に伝送されてもよい。
【０００９】
さらには、ネットワーク制御集積ボックスが複数のＵＳＢ拡張装置をさらに有していてもよく、それらのＵＳＢ拡張装置をＵＳＢスロットに設けることによって、ネットワーク制御集積ボックスにより多くのＵＳＢ無線受発信機を取り付けられる。
【００１０】
本考案のネットワーク制御集積ボックスは、使用者が携帯端末のアプリケーションプログラムを通じて、異なる無線エンドポイント装置の制御に提供する手段となり、携帯端末より直接又は間接的にネットワーク制御集積ボックスと電気通信接続し、異なる通信プロトコルのＵＳＢ無線受発信機を介して、エンドポイント装置を制御し、異なる通信プロトコル装置の制御を簡素化することができる。
【図面の簡単な説明】
【００１１】
【図１】本考案の好ましい一実施形態に係る立体分解図である。
【図２】本考案の好ましい一実施形態に係る立体態様図である。
【図３】本考案の好ましいもう一つの実施形態に係る立体態様図である。
【図４】本考案の好ましいさらに別の実施形態に係る立体態様図である。
【考案を実施するための形態】
【００１２】
審査官殿が本考案の内容を明確に理解されるよう、以下に図面を用いて本考案の実施形態を説明する。下記の実施形態において同じ部材に対しては同じ符号を用いている。
【００１３】
図１に示す本考案の好ましい一実施形態の立体分解図と、図２に示す立体態様図とを参照する。本考案のネットワーク制御集積ボックス１は、携帯電話機またはタブレットコンピュータなどの携帯端末７が直接又は間接な方式を用いて、異なる通信プロトコルか、同じ通信プロトコルだが規格が異なるエンドポイント装置９を制御できる。ネットワーク制御集積ボックス１は、主に複数の開口部２と、少なくとも一つのメイン制御ボード３と、複数のサブ制御ボード４と、複数のＵＳＢスロット５と、複数のＵＳＢ無線受発信機６と、を備える。
【００１４】
開口部２はネットワーク制御集積ボックス１に設けられており、かつ複数の収容空間２０を形成しており、メイン制御ボード３とサブ制御ボード４の収容に用いられる。メイン制御ボード３を収容空間２０のうちのいずれかに収容し、サブ制御ボード４はそれぞれ残りの収容空間２０に設置されていて、かつメイン制御ボード３と電気通信接続されている。サブ制御ボード４は組み合わせ接続方式によって、メイン制御ボード３と電気通信接続することができる。
【００１５】
ＵＳＢスロット５はそれぞれメイン制御ボード３及びサブ制御ボード４の周りに、かつそれぞれの開口部２に対応するように取り付けられている。複数のＵＳＢ無線受発信機６をそれぞれＵＳＢスロット５に取付け、ＵＳＢ無線受発信機６はそれぞれのエンドポイント装置９と電気通信接続される。ＵＳＢ無線受発信機６はそれぞれ異なる通信プロトコルの無線受発信回路のいずれかを有し、無線受発信回路は、Ｚｉｇｂｅｅ（登録商標）無線受発信回路、Ｚｗａｖｅ無線受発信回路、Ｗｉｆｉ無線受発信回路、ブルートゥース無線受発信回路、電力線無線受発信回路、ＥｎＯｃｅａｎ無線受発信回路またはＲＦＩＤ無線受発信回路のいずれかから選択される。携帯端末７の制御信号はＵＳＢ無線受発信機６を介して、異なる通信プロトコルまたは同じ通信プロトコルだが、規格が異なるエンドポイント装置９を制御する。本考案を適用した場合、使用者は携帯端末７を用いて制御信号を発信し、ネットワーク制御集積ボックス１によって信号を受信された後、メイン制御ボード３とサブ制御ボード４とを組み合わせて、信号通信フォーマットの変換を行い、エンドポイント装置９の遠隔制御という効果を達成すると共に、ＵＳＢスロット５によって、異なる通信プロトコルのＵＳＢ無線受発信機６をそれぞれのサブ制御ボード４またはメイン制御ボード３に組み合わせ接続することができる。携帯端末７の信号がメイン制御ボード３によって受信された後、制御対象のエンドポイント装置９に対応した通信システムによって、それぞれのＵＳＢ無線受発信機６を介して、それらのエンドポイント装置９に伝送し、多種の異なる通信フォーマットのエンドポイント装置９を制御する目的を実現する。
【００１６】
このほか、メイン制御ボード３の内部にメイン制御ボードコーディネーターを設け、携帯端末７とメイン制御ボードコーディネーターとを電気通信接続し、メイン制御ボードコーディネーターは携帯端末７の制御信号をエンドポイント装置９に転送する働きを有する。
【００１７】
本考案はメイン制御ボード３またはサブ制御ボード４を介して、ネットワーク制御集積ボックス１をネットワーク中継装置またはネットワークアクセスノードとしての使用に提供し、信号の伝送距離と応用範囲を拡大することができる。本実施例において、メイン制御ボード３を主な信号増幅素子の例として説明している。無線または有線の応用ネットワークにおいて、ネットワーク制御集積ボックス１を携帯端末７とエンドポイント装置９との間に介在させ、受発信を行うことによって、携帯端末７から異なる通信フォーマットのエンドポイント装置９を制御できるほか、信号制御による通信範囲を拡大することができるため、実際の応用効果を向上しより良い使用効果が得られる。
【００１８】
図３に示す本考案のもう一つの実施形態によるより良い応用態様図を併せて参照する。ネットワーク制御集積ボックス１は少なくとも一つの無線コーディネーター８と電気通信接続しており、携帯端末７は無線コーディネーター８を介してメイン制御ボード３と電気通信接続しており、ネットワーク制御集積ボックス１と、エンドポイント装置９との距離が遠すぎる場合、無線コーディネーター８を介在させば、携帯端末７の制御距離を延長することによって、ネットワーク全体の伝送範囲をさらに拡大できる。
【００１９】
図４に示す本考案のさらに別の実施形態の応用態様図を参照する。ネットワーク制御集積ボックス１は例えば、少なくとも一つのルーター１０に接続させ、携帯端末７がそのルーター１０を介して、メイン制御ボード３と電気通信接続させる。ネットワーク制御集積ボックス１とエンドポイント装置９との距離が遠すぎる場合、ルーター１０を介在すれば、携帯端末７は比較的遠距離より、エンドポイント装置９を制御することができる。
【００２０】
さらに、ネットワーク制御集積ボックス１は複数のＵＳＢ拡張装置をさらに有し、それらのＵＳＢ拡張装置をＵＳＢスロット５に設けることができる。ＵＳＢ拡張装置はＵＳＢスロット５の拡張効果を有するため、さらに多くのＵＳＢ無線受発信機６を装着することができる。
【００２１】
本考案のネットワーク制御集積ボックス１は、使用者が携帯端末７のアプリケーションプログラムを通じて、異なる無線エンドポイント装置９の制御に提供する手段となり、携帯端末７が直接又は間接的にネットワーク制御集積ボックス１と電気通信接続するか、または無線コーディネーター８あるいはルーター１０を介してネットワーク制御集積ボックス１と電気通信接続した上で、異なる通信プロトコルのＵＳＢ無線受発信機６を介して、エンドポイント装置９を制御し、異なる通信プロトコル装置の制御を簡素化する。このほか、ネットワーク制御集積ボックス１は、単独でネットワーク中継装置またはクラスターネットワークの無線アクセスノードなどに用いて、無線制御信号を拡張すると共に、クラスターネットワークの拡張を実現し、通信範囲全体を広げ、さらに広いネットワーク構造に応用することができる。
【００２２】
以上説明した本考案の実施形態は、本考案の内容が容易に理解されるように述べたものであり、本考案の権利範囲を制限するものではなく、本考案に係る技術の属する技術分野における通常の知識を有する者又は本考案に係る技術を熟知する者によるいかなる変更実施も、本考案の精神と範囲から逸脱しない限り、本考案の権利範囲に含まれる。
【符号の説明】
【００２３】
１  ネットワーク制御集積ボックス
１０  ルーター
２  開口部
２０  収容空間
３  メイン制御ボード
４  サブ制御ボード
５  ＵＳＢスロット
６  ＵＳＢ無線受発信機
７  携帯端末
８  無線コーディネーター
９  エンドポイント装置
【図１】
0003197162.tif 000003
【図２】
0003197162.tif 000004
【図３】
0003197162.tif 000005
【図４】
0003197162.tif 000006